【手続補正書】
【提出日】令和1年10月17日(2019.10.17)
【手続補正１】
【補正対象書類名】特許請求の範囲
【補正対象項目名】全文
【補正方法】変更
【補正の内容】
【特許請求の範囲】
【請求項１】
照明システム（１）において太陽−空模倣効果を生成するための色層状パネル構造（１００）であって、
少なくとも１つが透明パネルである２つのカバーパネル（１０２、１０４）と、
前記２つのカバーパネルの２つの内面の間に挟まれた接着透明ポリマー層（１０６）と、
前記２つのカバーパネル（１０２、１０４）のうちの少なくとも１つの内面におよび／または前記接着透明ポリマー層（１０６）の面に適用され、前記２つのカバーパネル（１０２、１０４）のうちの１つと前記接着透明ポリマー層（１０６）との間の中間層を形成する少なくとも１つのナノ粒子ベースのレイリー状拡散コーティング（１０８）と、
を備え、
ｄを平均ナノ粒子サイズ、ｎｈをコーティングの屈折率としたときの有効粒子直径Ｄ＝ｄｎｈに依存して中間層の単位面積あたりのレイリー状散乱体として作用するナノ粒子の数Ｎが、
【数１】
2019096622.tif 000001
（ただしＤは［メートル］で与えられる）、かつ
【数２】
2019096622.tif 000002
によって定義された範囲内であり、ｍはナノ粒子の屈折率とコーティングの屈折率との比である、
色層状パネル構造（１００）。
【請求項２】
２つのガラスシート（１０２、１０４）と、
前記２つのガラスシート（１０２、１０４）の間に挟まれた接着透明ポリマー層（１０６）と、
を備え、
前記接着ポリマー層（１０６）に面する前記２つのガラスシート（１０２、１０４）のうちの１つの面が、衝突光の長波長成分に対して衝突光の短波長成分を優先的に散乱させる可視光のためのレイリー状拡散中間層としてナノ粒子充填ペイント（１０８）でコーティングされ、
ｄを平均ナノ粒子サイズ、ｎｈをペイントの屈折率としたときの有効粒子直径Ｄ＝ｄｎｈに依存してレイリー状拡散中間層の単位面積あたりのレイリー状散乱体として作用するナノ粒子の数Ｎが、
【数３】
2019096622.tif 000003
（ただしＤは［メートル］で与えられる）、かつ
【数４】
2019096622.tif 000004
によって定義された範囲内であり、ｍはナノ粒子の屈折率とペイントの屈折率との比である、
色層状ガラス構造（１００）。
【請求項３】
２つのガラスシート（１０２、１０４）と、
前記２つのガラスシートの間に挟まれた接着透明ポリマー層（１０６）と、
を備え、
前記接着ポリマー層（１０６）が、衝突光の長波長成分に対して衝突光の短波長成分を優先的に散乱させる可視光のためのレイリー状拡散中間層として作用するナノ粒子充填ペイント（１０８）でコーティングされ、
ｄを平均ナノ粒子サイズ、ｎｈをペイントの屈折率としたときの有効粒子直径Ｄ＝ｄｎｈに依存してレイリー状拡散中間層の単位面積あたりのレイリー状散乱体として作用するナノ粒子の数Ｎが、
【数５】
2019096622.tif 000005
（ただしＤは［メートル］で与えられる）、かつ
【数６】
2019096622.tif 000006
によって定義された範囲内であり、ｍはナノ粒子の屈折率とペイントの屈折率との比である、
色層状ガラス構造（１００）。
【請求項４】
前記レイリー状散乱は、たとえば、少なくとも１５０ｎｍにわたる可視スペクトル内に広がる波長スペクトルを有する光に関するものであり、
前記レイリー状拡散コーティング（１０８）は、たとえば、特定のサイズ分布内の２５０ｎｍ未満の粒子サイズにおいてピークを有する、２５０ｎｍ未満の平均サイズの光散乱中心の分散を備えるペイントとして適用された、
請求項１ないし３のいずれか１項に記載の構造。
【請求項５】
２つのナノ粒子充填コーティング（１０８）がレイリー状拡散中間層として作用するとともに、各々が、前記接着透明ポリマー層（１０６）および前記隣接するカバーパネル／ガラスシート（１０２、１０４）の片側に設けられた、
請求項１ないし４のいずれか１項に記載の構造。
【請求項６】
単位面積あたりのレイリー状散乱体として作用するナノ粒子の数Ｎが、
純粋な晴天の存在をシミュレートすることを目的とする実施形態について、
【数７】
2019096622.tif 000007
（ただしＤは［メートル］で与えられる）、かつ
【数８】
2019096622.tif 000008
を満たし、たとえば、
【数９】
2019096622.tif 000009
かつ
【数１０】
2019096622.tif 000010
を満たし、より具体的には、
【数１１】
2019096622.tif 000011
かつ
【数１２】
2019096622.tif 000012
を満たす、
または、
北欧の空をシミュレートすることを目的とする実施形態について、
【数１３】
2019096622.tif 000013
（ただしＤは［メートル］で与えられる）、かつ
【数１４】
2019096622.tif 000014
を満たし、たとえば、
【数１５】
2019096622.tif 000015
かつ
【数１６】
2019096622.tif 000016
を満たし、より具体的には、
【数１７】
2019096622.tif 000017
かつ
【数１８】
2019096622.tif 000018
を満たす、
請求項１ないし５のいずれか１項に記載の構造。
【請求項７】
単位面積あたりのレイリー状散乱体として作用するナノ粒子の数Ｎが、
純粋な晴天の存在をシミュレートすることを目的とする実施形態について、
【数１９】
2019096622.tif 000019
（ただしＤは［メートル］で与えられる）、かつ
【数２０】
2019096622.tif 000020
を満たし、たとえば、
【数２１】
2019096622.tif 000021
かつ
【数２２】
2019096622.tif 000022
を満たし、より具体的には、
【数２３】
2019096622.tif 000023
かつ
【数２４】
2019096622.tif 000024
を満たす、
または、
北欧の空をシミュレートすることを目的とする実施形態について、
【数２５】
2019096622.tif 000025
（ただしＤは［メートル］で与えられる）、かつ
【数２６】
2019096622.tif 000026
を満たし、たとえば、
【数２７】
2019096622.tif 000027
かつ
【数２８】
2019096622.tif 000028
を満たし、より具体的には、
【数２９】
2019096622.tif 000029
かつ
【数３０】
2019096622.tif 000030
を満たす、
請求項１ないし６のいずれか１項に記載の構造。
【請求項８】
前記カバーパネル（１０２、１０４）が、ガラスシート、ガラスパネルなどの、光透過支持材料として、または、たとえば片側において微細構造を含む微細構造化表面ガラスとして構成された、
請求項１、または、請求項１に直接または間接に従属する請求項４ないし７のいずれか１項に記載の構造。
【請求項９】
ナノ粒子ベースのレイリー状拡散コーティング（ａ）、マイクロ粒子ベースの拡散コーティング（ｂ）、ナノ粒子ベースのレイリー状拡散とマイクロ粒子ベースの拡散とを組み合わせたコーティング（ｃ）、反射防止コーティング（ｄ）、およびミラーコーティング（ｅ）、の少なくとも１つをさらに備えた、
請求項１ないし８のいずれか１項に記載の構造。
【請求項１０】
前記２つのカバーパネル／ガラスシート（１０２、１０４）および接着透明ポリマー層（１０６）のうちの少なくとも１つが、ナノ粒子ベースの小角度拡散コーティングを備え、ならびに／または、
反射コーティングおよび／もしくは反射防止コーティングが、前記２つのカバーパネル／ガラスシート（１０２、１０４）のうちの少なくとも１つの外面（ｏ）に適用され、もしくは、
反射コーティングが、前記２つのカバーパネル／ガラスシート（１０２、１０４）のうちの１つと前記接着透明ポリマー層（１０６）との間の中間層を形成する、
請求項１ないし９のいずれか１項に記載の構造。
【請求項１１】
前記接着透明ポリマー層（１０６）は、コーティングのための支持構造を形成するために自己支持型であり、特に弾性であり、ならびに／またはその材料が、ＴＰＵ、ＰＶＢ、およびＥＶＡなどの透明熱可塑性材料を備えるポリマー材料のグループから選択される、
請求項１ないし１０のいずれか１項に記載の構造。
【請求項１２】
前記接着透明ポリマー層（ＮＡ）が、マイクロ粒子ベースの小角度拡散コーティングを備え、ならびに／または、
反射コーティングおよび／もしくは反射防止コーティングが、２つのカバーパネル／ガラスシート（１０２、１０４）のうちの少なくとも１つの外面（ｏ）に適用された、
請求項１ないし１１のいずれか１項に記載の構造。
【請求項１３】
可視の光ビーム（３）を生成するように構成された光源（２）と、
前記光源（２）によって照明される請求項１ないし１２のいずれか１項に記載の色層状パネル構造と、
を備え、
前記光ビームの一部が、本質的に散乱されない色層状パネル構造を通過することによって照明光ビーム（３Ａ）を形成し、前記光ビームの光の一部が、前記色層状パネル構造内のナノ粒子によってレイリー状散乱された、
照明システム（１）。
【請求項１４】
前記レイリー状散乱された光の第１の色、および本質的にレイリー状散乱されない直接光の第２の色が、ｕ’ｖ’色空間において少なくとも０．００８、たとえば、少なくとも０．０２もしくは０．０３だけ分離され、ならびに／または、
直接光相関色温度が、たとえば、８００Ｋ〜６５００Ｋの範囲内の黒体色温度に近く、および／または、
第１の色が、前記光ビームの前記直接光相関色温度とは異なる、特にそれよりも大きい拡散光相関色温度に関連付けられ、および／または、
直接光相関色温度が、０．８５以下の倍率で拡散光相関色温度と異なる、
請求項１３に記載の照明システム。